【手続補正書】
【提出日】平成17年2月15日(2005.2.15)
【手続補正１】
【補正対象書類名】明細書
【補正対象項目名】特許請求の範囲
【補正方法】変更
【補正の内容】
【特許請求の範囲】
【請求項１】
車両内に取り付けて固定される固定部と、
車両内への侵入者を検出するための検出手段を収納する収納部とを備えた侵入者検出装置において、
前記収納部を車両内への侵入者を検出するための検出位置と、格納位置とに駆動させる収納部駆動手段を備えていることを特徴とする侵入者検出装置。
【請求項２】
前記固定部が車両の天井に取り付けられるものであり、前記格納位置が前記天井に形成される孔部、又は前記天井裏に掛かることを特徴とする請求項１記載の侵入者検出装置。
【請求項３】
前記検出手段の検出方向を変更する検出方向変更手段を備えていることを特徴とする請求項１又は請求項２記載の侵入者検出装置。
【請求項４】
前記収納部には、前記検出手段として、送信手段と受信手段とが収納されており、
前記送信手段と前記受信手段との間隔を変更する間隔変更手段を備えていることを特徴とする請求項１〜３のいずれかの項に記載の侵入者検出装置。
【請求項５】
前記収納部駆動手段が、前記収納部を角変位軸を軸線として角変位させる機構を備え、
前記収納部が前記角変位軸を軸線として角変位することによって、前記検出位置と前記格納位置とに駆動されるように構成されていることを特徴とする請求項１〜４のいずれかの項に記載の侵入者検出装置。
【請求項６】
前記収納部駆動手段が、前記収納部を回転軸を軸線として少なくとも半回転させる機構を備えていることを特徴とする請求項５記載の侵入者検出装置。
【請求項７】
前記収納部駆動手段が、前記固定部が車両内の所定の箇所に取り付け固定された場合に、前記収納部を鉛直方向に移動させる機構を備え、
前記収納部が鉛直方向に移動することによって、前記検出位置と前記格納位置とに駆動されるように構成されていることを特徴とする請求項１〜４のいずれかの項に記載の侵入者検出装置。
【請求項８】
前記収納部駆動手段を制御することによって、前記収納部を前記検出位置へ駆動させる第１の制御手段を備え、
第１の所定条件が満たされると、
前記第１の制御手段が前記制御を行うようになっていることを特徴とする請求項１〜７のいずれかの項に記載の侵入者検出装置。
【請求項９】
前記収納部駆動手段を制御することによって、前記収納部を前記格納位置へ駆動させる第２の制御手段を備え、  第２の所定条件が満たされると、
前記第２の制御手段が前記制御を行うようになっていることを特徴とする請求項１〜８のいずれかの項に記載の侵入者検出装置。
【請求項１０】
前記収納部駆動手段、前記検出方向変更手段、及び前記間隔変更手段のうちの少なくとも一つの手段を制御することによって、第３の所定条件を満たす、前記収納部もしくは前記検出手段、あるいは前記収納部及び前記検出手段の状態を検索すると共に、
検索した結果に基づいて、前記第３の所定条件を満たすように、前記収納部もしくは前記検出手段、あるいは前記収納部及び前記検出手段を制御する第３の制御手段を備えていることを特徴とする請求項１〜９のいずれかの項に記載の侵入者検出装置。
【請求項１１】
前記第３の所定条件が、車両内における走行方向前方部で反射される反射波の検出レベルが所定値以上となり、かつ車両内における走行方向後方部で反射される反射波の検出レベルが所定値以上となるものを検出することであることを特徴とする請求項１０記載の侵入者検出装置。
【請求項１２】
前記第３の所定条件が、車両内における走行方向前方部で反射される反射波のうち、検出レベルが最大となるものを検出することであることを特徴とする請求項１０記載の侵入者検出装置。
【請求項１３】
前記第３の所定条件が、車両内における走行方向後方部で反射される反射波のうち、検出レベルが最大となるものを検出することであることを特徴とする請求項１０記載の侵入者検出装置。
【請求項１４】
前記収納部が前記検出位置に駆動されると、前記第３の制御手段が前記制御を行うようになっていることを特徴とする請求項１０〜１３のいずれかの項に記載の侵入者検出装置。
【請求項１５】
請求項１〜７のいずれかの項に記載の侵入者検出装置の駆動を制御する制御装置であって、
前記収納部駆動手段を制御することによって、前記収納部を前記検出位置へ駆動させる第１の制御手段を備え、
第１の所定条件が満たされると、
前記第１の制御手段が前記制御を行うようになっていることを特徴とする制御装置。
【請求項１６】
請求項１〜７のいずれかの項に記載の侵入者検出装置の駆動を制御する制御装置であって、
前記収納部駆動手段を制御することによって、前記収納部を前記格納位置へ駆動させる第２の制御手段を備え、
第２の所定条件が満たされると、
前記第２の制御手段が前記制御を行うようになっていることを特徴とする制御装置。
【請求項１７】
請求項１〜７のいずれかの項に記載の侵入者検出装置の駆動を制御する制御装置であって、
前記収納部駆動手段、前記検出方向変更手段、及び前記間隔変更手段のうちの少なくとも一つの手段を制御することによって、第３の所定条件を満たす、前記収納部もしくは前記検出手段、あるいは前記収納部及び前記検出手段の状態を検索すると共に、
検索した結果に基づいて、前記第３の所定条件を満たすように、前記収納部もしくは前記検出手段、あるいは前記収納部及び前記検出手段を制御する第３の制御手段を備えていることを特徴とする制御装置。
【請求項１８】
前記第３の所定条件が、車両内における走行方向前方部で反射される反射波の検出レベルが所定値以上となり、かつ車両内における走行方向後方部で反射される反射波の検出レベルが所定値以上となるものを検出することであることを特徴とする請求項１７記載の制御装置。
【請求項１９】
前記第３の所定条件が、車両内における走行方向前方部で反射される反射波のうち、検出レベルが最大となるものを検出することであることを特徴とする請求項１７記載の制御装置。
【請求項２０】
前記第３の所定条件が、車両内における走行方向後方部で反射される反射波のうち、検出レベルが最大となるものを検出することであることを特徴とする請求項１７記載の制御装置。
【請求項２１】
前記収納部が前記検出位置に駆動されると、前記第３の制御手段が前記制御を行うようになっていることを特徴とする請求項１７〜２０のいずれかの項に記載の制御装置。
【手続補正２】
【補正対象書類名】明細書
【補正対象項目名】００１２
【補正方法】変更
【補正の内容】
【００１２】
また、本発明に係る侵入者検出装置（２）は、上記侵入者検出装置（１）にお
いて、前記固定部が車両の天井に取り付けられるものであり、前記格納位置が前
記天井に形成される孔部、又は前記天井裏に掛かることを特徴としている。
【手続補正３】
【補正対象書類名】明細書
【補正対象項目名】００１３
【補正方法】変更
【補正の内容】
【００１３】
上記侵入者検出装置（２）によれば、例えば、後述する図１、図１１、図１５
に示したように、前記収納部が前記天井に形成される孔部、又は前記天井裏に格
納されるので、非常にスッキリとしたかたちで前記収納部を格納しておくことが
できる。
【手続補正４】
【補正対象書類名】明細書
【補正対象項目名】００２８
【補正方法】変更
【補正の内容】
【００２８】
また、本発明に係る侵入者検出装置（１０）は、上記侵入者検出装置（１）〜
（９）のいずれかにおいて、前記収納部駆動手段、前記検出方向変更手段、及び
前記間隔変更手段のうちの少なくとも一つの手段を制御することによって、第３
の所定条件を満たす、前記収納部もしくは前記検出手段、あるいは前記収納部及
び前記検出手段の状態を検索すると共に、検索した結果に基づいて、前記第３の
所定条件を満たすように、前記収納部もしくは前記検出手段、あるいは前記収納
部及び前記検出手段を制御する第３の制御手段を備えていることを特徴としてい
る。
【手続補正５】
【補正対象書類名】明細書
【補正対象項目名】００２９
【補正方法】変更
【補正の内容】
【００２９】
また、本発明に係る侵入者検出装置（１１）は、上記侵入者検出装置（１０）
において、前記第３の所定条件が、車両内における走行方向前方部で反射される
反射波の検出レベルが所定値以上となり、かつ車両内における走行方向後方部で
反射される反射波の検出レベルが所定値以上となるものを検出することであるこ
とを特徴としている。
【手続補正６】
【補正対象書類名】明細書
【補正対象項目名】００３２
【補正方法】変更
【補正の内容】
【００３２】
上記侵入者検出装置（１０）〜（１３）によれば、前記第３の所定条件を満た
す、前記収納部もしくは前記検出手段、あるいは前記収納部及び前記検出手段の
状態（例えば、前記収納部の位置や、前記検出手段の検出方向）を検索し、その
検索結果に基づいて、前記収納部を駆動させたり、前記検出手段の検出方向を変
更することができる。すなわち、車両内の状況（例えば、シート位置の変化）に
応じて、前記収納部もしくは前記検出手段、あるいは前記収納部及び前記検出手
段の状態を調整することができる。
従って、車両内の状況に影響されることなく、前記第３の所定条件を満たすよ
うに、前記収納部もしくは前記検出手段、あるいは前記収納部及び前記検出手段
の調整を行うことができる。
【手続補正７】
【補正対象書類名】明細書
【補正対象項目名】００３３
【補正方法】変更
【補正の内容】
【００３３】
なお、前記第３の所定条件としては、例えば、下記の（イ）〜（ハ）が挙げら
れる。
（イ）車両内における走行方向前方部（例えば、フロントシート部）で反射さ
れる反射波、及び車両内における走行方向後方部（例えば、リアシート部）で反
射される反射波のいずれについても、検出レベルがそれぞれの最大級となるもの
を検出すること。すなわち、前記走行方向前方部で反射される反射波の検出レベ
ルが所定値以上となり、かつ前記走行方向後方部で反射される反射波の検出レベ
ルが所定値以上となるものを検出すること。
これにより、車両内への侵入者を検出するのに、全体的に非常にバランスの取
れたものとすることができる。
【手続補正８】
【補正対象書類名】明細書
【補正対象項目名】００３７
【補正方法】変更
【補正の内容】
【００３７】
上記侵入者検出装置（１４）によれば、前記収納部が前記検出位置に駆動され
ると（例えば、セキュリティ・システムを起動させるタイミングになって、前記
収納部が前記検出位置に駆動されると）、前記第３の所定条件を満たすように、
前記収納部を駆動させたり、前記検出手段の検出方向を変更することができる。
すなわち、車両内の状況（例えば、シート位置の変化）に応じた、前記収納部
もしくは前記検出手段、あるいは前記収納部及び前記検出手段の状態の調整が自
動的に行われるようになっているので、使用者にとって非常に使い勝手の良いも
のとすることができる。
【手続補正９】
【補正対象書類名】明細書
【補正対象項目名】００４２
【補正方法】変更
【補正の内容】
【００４２】
また、本発明に係る制御装置（３）は、上記侵入者検出装置（１）〜（７）の
いずれかの駆動を制御する制御装置であって、前記収納部駆動手段、前記検出方
向変更手段、及び前記間隔変更手段のうちの少なくとも一つの手段を制御するこ
とによって、第３の所定条件を満たす、前記収納部もしくは前記検出手段、ある
いは前記収納部及び前記検出手段の状態を検索すると共に、検索した結果に基づ
いて、前記第３の所定条件を満たすように、前記収納部もしくは前記検出手段、
あるいは前記収納部及び前記検出手段を制御する第３の制御手段を備えているこ
とを特徴としている。
【手続補正１０】
【補正対象書類名】明細書
【補正対象項目名】００４３
【補正方法】変更
【補正の内容】
【００４３】
また、本発明に係る制御装置（４）は、上記制御装置（３）において、前記第
３の所定条件が、車両内における走行方向前方部で反射される反射波の検出レベ
ルが所定値以上となり、かつ車両内における走行方向後方部で反射される反射波
の検出レベルが所定値以上となるものを検出することであることを特徴としてい
る。
【手続補正１１】
【補正対象書類名】明細書
【補正対象項目名】００４６
【補正方法】変更
【補正の内容】
【００４６】
上記制御装置（３）〜（６）によれば、前記第３の所定条件を満たす、前記収
納部もしくは前記検出手段、あるいは前記収納部及び前記検出手段の状態（例え
ば、前記収納部の位置や、前記検出手段の検出方向）を検索し、その検索結果に
基づいて、前記収納部を駆動させたり、前記検出手段の検出方向を変更すること
ができる。すなわち、車両内の状況（例えば、シート位置の変化）に応じて、前
記収納部もしくは前記検出手段、あるいは前記収納部及び前記検出手段の状態を
調整することができる。
従って、車両内の状況に影響されることなく、前記第３の所定条件を満たすよ
うに、前記収納部もしくは前記検出手段、あるいは前記収納部及び前記検出手段
の調整を行うことができる。
【手続補正１２】
【補正対象書類名】明細書
【補正対象項目名】００４８
【補正方法】変更
【補正の内容】
【００４８】
上記制御装置（７）によれば、前記収納部が前記検出位置に駆動されると（例
えば、セキュリティ・システムを起動させるタイミングになって、前記収納部が
前記検出位置に駆動されると）、前記第３の所定条件を満たすように、前記収納
部を駆動させたり、前記検出手段の検出方向を変更することができる。
すなわち、車両内の状況（例えば、シート位置の変化）に応じた、前記収納部
もしくは前記検出手段、あるいは前記収納部及び前記検出手段の状態の調整が自
動的に行われるようになっているので、上記侵入者検出装置を使用者にとって非
常に使い勝手の良いものとすることができる。
【手続補正１３】
【補正対象書類名】明細書
【補正対象項目名】００７２
【補正方法】変更
【補正の内容】
【００７２】
（イ）車両内における走行方向前方部（例えば、フロントシート部）で反射さ
れる反射波、及び車両内における走行方向後方部（例えば、リアシート部）で反
射される反射波のいずれについても、検出レベルがそれぞれの最大級となるもの
を検出すること。すなわち、前記走行方向前方部で反射される反射波の検出レベ
ルが所定値以上となり、かつ前記走行方向後方部で反射される反射波の検出レベ
ルが所定値以上となるものを検出すること。
これにより、車両内への侵入者を検出するのに、全体的に非常にバランスの取
れたものとすることができる。なお、設定位置Ｐａ〜Ｐｃ（図１０）の中では、
設置位置Ｐｂが最もこの条件を満たしている。